(57)【要約】【課題】２つのセンサにより、ディスクの引き込み中にディスクが所定の径を有するか否かを検出し、所定の径とは異なる径のディスクを排出することができるディスク再生装置を提供する。【解決手段】ディスク再生装置１において、ディスク挿入口２と、ディスクの引き込みおよび排出を行うローディング機構３と、８ｃｍディスク６を引き込み中に検出するセンサ４およびセンサ５とを備え、センサ４およびセンサ５は８ｃｍディスク６引き込み時に同時にオンすることが無い位置に配置する。【選択図】図１
2005293656.tif 000002
【特許請求の範囲】
【請求項１】
駆動源によって駆動されるディスク搬送部と、前記ディスク搬送部によるディスクの引き込みおよび排出の制御情報を検知する検出部とを有するディスク再生装置において、前記検出部は、遅くともディスクの引き込み中にディスクの径を判別する２個のセンサを有し、前記センサが所定の径とは異なる径のディスクであることを検出すると、前記ディスク搬送部は前記ディスクを排出することを特徴とするディスク再生装置。
【請求項２】
前記検出部の前記２個のセンサは、いずれもディスクの挿入を検知する機能を有し、当該２個のセンサのうちいずれか１個がディスクの挿入を検知したときに、前記ディスク搬送部はディスクの引き込みを開始することを特徴とする請求項１に記載のディスク再生装置。
【請求項３】
ディスクの挿入を検知するディスク挿入検知ステップと、前記ディスク挿入検知ステップによりディスクの挿入を検知すると、ディスクの引き込みを行うディスク引き込みステップと、前記ディスク引き込みステップによるディスク引き込み中に、ディスクの径が所定の径であるか否かを判別するディスク径判別ステップと、前記ディスク径判別ステップによりディスクが所定の径を有すると判別された場合、引き続きディスクを所定位置まで引き込んでディスクの再生を行うディスク再生ステップと、前記ディスク径判別ステップによりディスクが所定の径とは異なる径のディスクであると判別された場合、前記ディスク引き込みステップによるディスクの引き込みを中止し、ディスクの排出を行うディスク排出ステップ、とを有することを特徴とするディスク再生方法。
【発明の詳細な説明】
【技術分野】
【０００１】
本発明は、複数のセンサによってディスクの検知を行い、ディスクの引き込み及び排出動作を制御するディスク再生装置に関するものである。
【背景技術】
【０００２】
ディスク再生装置で再生されるディスクには、１２ｃｍや８ｃｍなど径の異なるものが存在する。これに対応して、従来のディスク再生装置の多くは、これら異なる径のディスクを再生する機能を備えている。すなわち、ディスクの径を判別し、径に応じた動作処理をすることで、径の異なるディスクであっても正しく再生することができる。
【０００３】
従来のディスク再生装置の一例を図７に示す。図７においてディスク再生装置１１は、ディスクが挿入されるディスク挿入口１２と、挿入されたディスクの引き込みを行うローディング機構１３と、ローディング機構による引き込み完了後にディスクの径を検出するセンサ１４とで構成されている。センサ１４は１２ｃｍディスク引き込み後の後方端からは外れないが、８ｃｍディスク引き込み後の後方端からは外れる位置に配置されており、これにより引き込んだディスクが１２ｃｍと８ｃｍのいずれであるかを判別できる（例えば、特許文献１参照）。
【特許文献１】特開２０００−１０５９５７号公報
【発明の開示】
【発明が解決しようとする課題】
【０００４】
ディスク再生装置の中でも、特に車載用ナビゲーション装置に用いられるＤＶＤ（Ｄｉｇｉｔａｌ  Ｖｉｄｅｏ  Ｄｉｓｋ）再生装置などについては、小型化・薄型化・軽量化に対する要求が高い。また、こうした用途のディスク再生装置では、予め決められたディスク（地図ディスク）を再生できればよく、すなわち挿入されるべきディスクの径も予め決められているケースが多い。そのため、想定されるディスクのみを受け入れられる機能および構成に限定することで、小型化・薄型化・軽量化が図られる。
【０００５】
さらにより小型化・薄型化・軽量化が求められると、機能および構成の限定が加速し、、想定外のディスクについては、再生できないばかりか、挿入された後の対応すらできない状態まで機能および構成が限定される。すなわり、想定外のディスクについては、奥まで引き込んだ場合に排出することすらできなくなってしまう。従って、奥まで引き込むより前に、想定外のディスクであることを検知して、装置外に排出する必要がある。しかしながら、従来のディスク再生装置１１の構成では、前述の通り、奥までディスクを引き込んだ後に径を判別するため、挿入された想定外のディスクを排出することができなくなってしまうという課題を有している。
【０００６】
本発明は、上記従来の課題を解決するもので、所定の径以外の径を有するディスクであることを遅くとも引き込み中に検出し排出することのできるディスク再生装置を提供することを目的とする。
【課題を解決するための手段】
【０００７】
前記従来の課題を解決するために、本発明のディスク再生装置は、駆動源によって駆動されるディスク搬送部と、ディスク搬送部によるディスクの引き込みおよび排出の制御情報を検知する検出部とを有し、検出部は、遅くともディスクの引き込み中にディスクの径を判別する２個のセンサを有し、センサが所定の径とは異なる径のディスクであることを検知すると、ディスク搬送部はディスクを排出することを特徴とする。
【０００８】
この構成により、遅くともディスクの引き込み中にディスクが所定の径を有するか否かを検出し、所定の径とは異なる径のディスクを排出することが可能となる。
【０００９】
また、本発明のディスク再生装置は、検出部の２個のセンサが、いずれもディスクの挿入を検知する機能を有し、当該２個のセンサのうちいずれか１個がディスクの挿入を検知したときにディスク搬送部は引き込みを開始することを特徴とする。
【００１０】
この構成により、ディスクの挿入を検知するセンサを別途改めて設置する必要が無く、少ない数のセンサによりディスク再生装置を構成することができる。
【発明の効果】
【００１１】
上記の通り、本発明のディスク再生装置によれば、遅くともディスクの引き込み中にディスクの径を判別し、所定の径とは異なる径のディスクを排出することが可能であるため、排出できなくなる位置までディスクを引き込むことを回避できる。
【発明を実施するための最良の形態】
【００１２】
以下、本発明の実施の形態のディスク再生装置について、図面を用いて説明する。なお、図面において、下方、上方、左方、右方をそれぞれ、ディスク再生装置の前方、後方、左方向、右方向とする。
【００１３】
なお、説明をわかりやすくするために、本発明のディスク再生装置において再生対象となるディスクを１２ｃｍ円形ディスク、再生できず、奥まで引き込む前に排出すべきディスクを８ｃｍ円形ディスクとして、以下の説明を行う。
【００１４】
図１は本発明のディスク再生装置の一実施形態における簡略平面図であり、ディスク再生部、ディスクチャッキング機構、操作ボタン等、実際には存在するが本実施の形態を説明する上では不要な構成については図示を省略する。図１において、ディスク再生装置１は、挿入されるディスク径よりも大きく、左右方向のいずれの位置からでもディスク挿入可能なディスク挿入口２と、駆動源によって駆動されるディスク搬送部であって、挿入されたディスクの引き込みおよび排出を行うローディング機構３と、ディスクの挿入を検知し、また引き込み中のディスクの径を判別するセンサ４およびセンサ５とを有する構成である。
【００１５】
センサ４およびセンサ５は、光学素子を使用したセンサであり、通常はオフであるが、自身の上をディスクが通過している時にオンになるセンサであって、両センサのうち、いずれかのセンサがオンになった時に、ディスクが挿入されたと検知する。また以降で詳述するように、ディスク引き込み開始から所定時間αが経過するまでにオンになるセンサ数の違いにより、ディスク径を判別する。
【００１６】
一般的なディスク再生装置では、ユーザーがディスクを挿入すると同時にローディング機構による引き込みが開始される。これを実現するためには、センサ４およびセンサ５は、ローディング機構よりも前方で、かつディスク挿入口に可能な限り近く、すなわち装置の前方に配置され、ディスクの挿入をより早く検知することが好ましい。
【００１７】
さらに、本実施例のようにディスクが円形である場合は、さらに早くディスクの挿入を検知するために、左右方向の中央付近に配置することが好ましい。
【００１８】
また、再生対象となるディスクが、ディスク挿入口２の左右方向のどの位置から挿入されたとしても正常にディスク挿入が検知されるように、両センサを配置する必要がある。すなわち、ディスク挿入口２の最左端もしくは最右端から再生対象となるディスク径以内に、必ずどちらかのセンサが存在するよう、配置する必要がある。
【００１９】
以上により、本実施形態では、図１のように、センサ４はディスク挿入口２の最左端から右方向へ２．２ｃｍかつ後方へ０．２ｃｍの位置に、センサ５はディスク挿入口２の最右端から左方向へ２．２ｃｍかつ後方へ０．２ｃｍの位置にそれぞれ配置する。本実施形態では、ディスク挿入口２が左右方向に対して１２．５ｃｍ開口しているため、センサ４およびセンサ５の互いの間隔は８．１ｃｍである。
【００２０】
以下、図２から図５を用いて、センサ４およびセンサ５が、ディスク挿入を検知し、径を判別する動作について説明する。図２はディスク挿入口２の中央付近の位置からディスクが挿入される、最も一般的なディスク挿入時の簡略平面図である。
【００２１】
図２において、１２ｃｍディスク７が挿入された場合、図に記載されたディスク位置で、まずセンサ４もしくはセンサ５のどちらかがディスクの挿入を検知する。ディスクの挿入を検知すると、ローディング機構３によりディスクの引き込みが開始され、ディスク７はさらに後方へと引き込まれる。そして、ディスク７は引き込まれる過程において、両センサ間の間隔がディスク径よりも小さいため、所定時間αが経過する迄にセンサ４およびセンサ５の上を同時に通過する。すなわち所定時間α経過までに、両センサが同時にオンとなる状態が発生する。
【００２２】
また、図２において、８ｃｍディスク６が挿入された場合、図に記載されたディスク位置で、まずセンサ４もしくはセンサ５のどちらかがディスク挿入を検知する。ディスクの挿入を検知すると、ローディング機構３によりディスクの引き込みが開始され、ディスク６はさらに後方へと引き込まれる。そして、ディスク６は引き込まれる過程において、両センサ間の間隔がディスク径よりも大きいため、所定時間αが経過する迄にセンサ４およびセンサ５の上を同時に通過することはない。すなわち所定時間α経過までに、両センサが同時にオンとなる状態は発生しない。
【００２３】
以上により、１２ｃｍディスク７が挿入された場合は、所定時間αが経過する迄に、オンになるセンサ数が２つの状態が生じ、８ｃｍディスク６が挿入された場合は、同じく所定時間αが経過する迄に、オンになるセンサ数が２つの状態は生じないため、この相違により、ディスク径を判別する。
【００２４】
図３はディスク挿入口２の左端位置からディスクが挿入された時の簡略平面図である。図３において、１２ｃｍディスク７が挿入された場合、図に記載されたディスク位置で、まずセンサ４がディスクの挿入を検知する。ディスクの挿入を検知すると、ローディング機構３によりディスクの引き込みが開始され、ディスク７はさらに後方へと引き込まれる。そして、ディスク７は引き込まれる過程において、ディスク挿入口２の最左端とセンサ５との間隔が１０．３ｃｍであってディスク径よりも小さいため、所定時間αが経過する迄にセンサ４およびセンサ５の上を同時に通過する。すなわち所定時間α経過までに、両センサが同時にオンとなる状態が発生する。
【００２５】
また、図３において、８ｃｍディスク６が挿入された場合、図に記載されたディスク位置で、まずセンサ４がディスク挿入を検知する。ディスクの挿入を検知すると、ローディング機構３によりディスクの引き込みが開始され、ディスク６はさらに後方へと引き込まれる。そして、ディスク６は引き込まれる過程において、ディスク挿入口２の最左端とセンサ５との間隔が１０．３ｃｍであってディスク径よりも大きいため、所定時間αが経過する迄にセンサ５の上を通過することはない。すなわち所定時間α経過までに、両センサが同時にオンとなる状態は発生しない。
【００２６】
以上により、１２ｃｍディスク７が挿入された場合は、所定時間αが経過する迄に、オンになるセンサ数が２つの状態が生じ、８ｃｍディスク６が挿入された場合は、同じく所定時間αが経過する迄に、オンになるセンサ数が２つの状態は生じないため、この相違により、ディスク径を判別する。
【００２７】
図４はディスク挿入口２の右端位置からディスクが挿入された時の簡略平面図である。図４において、１２ｃｍディスク７が挿入された場合、図に記載されたディスク位置で、まずセンサ５がディスクの挿入を検知する。ディスクの挿入を検知すると、ローディング機構３によりディスクの引き込みが開始され、ディスク７はさらに後方へと引き込まれる。そして、ディスク７は引き込まれる過程において、ディスク挿入口２の最右端とセンサ４との間隔が１０．３ｃｍであってディスク径よりも小さいため、所定時間αが経過する迄にセンサ４およびセンサ５の上を同時に通過する。すなわち所定時間α経過までに、両センサが同時にオンとなる状態が発生する。
【００２８】
また、図４において、８ｃｍディスク６が挿入された場合、図に記載されたディスク位置で、まずセンサ５がディスク挿入を検知する。ディスクの挿入を検知すると、ローディング機構３によりディスクの引き込みが開始され、ディスク６はさらに後方へと引き込まれる。そして、ディスク６は引き込まれる過程において、ディスク挿入口２の最右端とセンサ４との間隔が１０．３ｃｍであってディスク径よりも大きいため、所定時間αが経過する迄にセンサ４の上を通過することはない。すなわち所定時間α経過までに、両センサが同時にオンとなる状態は発生しない。
【００２９】
以上により、１２ｃｍディスク７が挿入された場合は、所定時間αが経過する迄に、オンになるセンサ数が２つの状態が生じ、８ｃｍディスク６が挿入された場合は、同じく所定時間αが経過する迄に、オンになるセンサ数が２つの状態は生じないため、この相違により、ディスク径を判別する。
【００３０】
図５はセンサ４とセンサ５との完全に左右方向中央位置から８ｃｍディスク６が挿入された時の簡略平面図である。図５においては、これまで説明してきた図２から図４までの場合とは異なり、両センサ間の間隔が８．１ｃｍと８ｃｍディスク径よりも大きいため、センサ４およびセンサ５はいずれもディスク挿入を検知できず、すなわちローディング機構３による正規のディスク引き込み動作が行われないことになる。またこの場合、正規のディスク引き込み動作が行われない状態で、ディスク挿入口２に８ｃｍディスク６の前方端が来る図５のディスク位置までディスクを押し込むことが可能である。そして、その位置からディスクを手で引き出そうとした場合、引き出す過程において、万一センサ４またはセンサ５のどちらか一方の上をディスクが通過し、ディスクが挿入されたと誤検知して、ローディング機構３によるディスクの引き込みが開始される恐れがある。しかし、この場合も所定時間α経過後も両センサが共にオンになることはないので、図２から図４までの場合と同様、正確にディスク径を判別することが可能である。
【００３１】
さらに、図２から図５以外のいずれの位置からディスクが挿入された場合も、前述のセンサ配置により、１２ｃｍディスク７が挿入された場合は、所定時間αが経過する迄に、オンになるセンサ数が２つの状態が生じ、８ｃｍディスク６が挿入された場合は、同じく所定時間αが経過する迄に、オンになるセンサ数が２つの状態は生じないため、この相違により、ディスク径を判別することが可能である。
【００３２】
なお、所定時間αは、本実施形態では０．５秒とするが、この値は、再生対象とされるディスク径や排出対象とされるディスク径、またディスク挿入口２とセンサ４とセンサ５とローディング機構３との配置関係、さらにはローディング機構３による引き込み速度などに応じて設定すべき数値である。具体的には、排出対象とされるディスクが引き込まれてからローディング機構３のローラから外れてしまう位置に来るまでに要する時間（排出できなくなる位置まで引き込まれてしまう時間、図５の誤引き込みの場合も含む）より短い時間に設定される必要があるし、再生対象とされるディスクがセンサ４およびセンサ５の両センサの上を通過するまでに要する時間より長い時間に設定される必要がある。
【００３３】
次に図６に示すフローチャートを用いて、ディスク再生装置１の動作を説明する。まず、ディスクが挿入される（ステップＳ１）と、ローディング機構３による引き込みを開始するかどうかを、センサ４およびセンサ５が全てオフであるかどうかで判断する（ステップＳ２）。どちらか一方でもオンになっていれば、ディスクが挿入されたと判断し（ステップＳ３）、ローディング機構３によりディスクの引き込みを開始する（ステップＳ４）。引き込みが開始されてから所定時間αが経過するまで、センサ４およびセンサ５の状態を確認し（ステップＳ５）、所定時間αが経過するまでに両センサが同時にオンになった場合は、再生対象のディスクであると判別して（ステップＳ６）、引き続き所定位置まで引き込みを行って（ステップＳ７）、ディスクの再生を行う（ステップＳ８）。一方ステップＳ５で、所定時間αが経過するまでに両センサが同時にオンになることが無かった場合、排出対象のディスクであると判別して（ステップＳ９）、ローディング機構３の引き込み動作を中止し（ステップＳ１０）、今度は逆にローディング機構３によってディスクの排出を行う（ステップＳ１１）。
【００３４】
以上により、遅くともディスク引き込み中にはディスク径を判別し、排出対象のディスクであった場合には、排出することが可能である。
【００３５】
なお、センサ４およびセンサ５の配置はあくまで一例であり、上記に限定されるものではない。排出対象のディスクが排出できない位置まで引き込まれる前のある時点で、オンになるセンサ数の違いから、ディスク径を判別できる配置であればよい。
【００３６】
また、前述の通り、円形１２ｃｍおよび円形８ｃｍのディスクを説明に用いたが、本発明が適用可能なディスク径および形状はこれに限定されるものではない。適用されるディスク径および形状に応じて、センサ４およびセンサ５の配置を、上記説明と同じ作用となるような適切な位置にそれぞれ配置すればよい。
【産業上の利用可能性】
【００３７】
以上のように、本発明にかかるディスク再生装置は、挿入口に近い位置にディスクが所定の径を有するか否かを検出するセンサを設けたので、８ｃｍディスクが挿入された時には引き込み中にディスクが所定の径を有するか否かを検出することができ、奥まで引き込まずに排出することが可能であるという効果を有し、複数のセンサによってディスクの検知を行い、ディスクの引き込み及び排出動作を制御するディスク再生装置等として有用である。
【図面の簡単な説明】
【００３８】
【図１】本発明の一実施形態におけるディスク再生装置のセンサ配置の一例を示す簡略平面図
【図２】ディスク挿入口の中央位置でディスクを引き込んだ際の一例を示す簡略平面図
【図３】ディスク挿入口の左端位置でディスクを引き込んだ際の一例を示す簡略平面図
【図４】ディスク挿入口の右端位置でディスクを引き込んだ際の一例を示す簡略平面図
【図５】ディスク挿入口の中央位置で８ｃｍディスクを最大限押し込んだ際の一例を示す簡略平面図
【図６】本発明の一実施形態におけるディスク再生装置の再生まで、もしくは排出までの一連の動作を説明するフローチャート
【図７】従来のディスク再生装置の簡略平面図
【符号の説明】
【００３９】
１    ディスク再生装置
２    ディスク挿入口
３    ローディング機構
４，５    センサ
６    ８ｃｍディスク
７    １２ｃｍディスク
【図１】
2005293656.tif 000003
【図２】
2005293656.tif 000004
【図３】
2005293656.tif 000005
【図４】
2005293656.tif 000006
【図５】
2005293656.tif 000007
【図６】
2005293656.tif 000008
【図７】
2005293656.tif 000009